(57)【特許請求の範囲】
【請求項１】
かみそり本体の上部に、外刃と該外刃の内面に摺接して往復動可能な内刃とを有する複数の刃ユニットが並設された刃ヘッド部を備えた電気かみそりにおいて、
前記刃ヘッド部は少なくとも１の刃ユニットを可動刃ユニットとして備え、前記かみそり本体に設けられた動作モードを切換えるモード切換え部の１回のつまみ切換え操作で、前記可動刃ユニットを基準位置より上方向若しくは下方向の所定位置へ移動させると、前記刃ヘッド部の前記かみそり本体に対する傾き角度が変化することを特徴とする電気かみそり。
【請求項２】
前記モード切換え部は、かみそり本体の一方の側面部に設けられていることを特徴とする請求項１記載の電気かみそり。
【請求項３】
前記モード切換え部のつまみ切換え操作は、ダイヤル回転操作により行なわれることを特徴とする請求項２記載の電気かみそり。
【請求項４】
前記可動刃ユニットとモード切換えダイヤルとが第１のリンク材を介して連繋され、かつ前記刃ヘッド部と前記モード切換えダイヤルとが第２のリンク材を介して連繋されていることを特徴とする請求項３記載の電気かみそり。
【発明の詳細な説明】
【０００１】
【発明の属する利用分野】
本発明は、電気かみそりに係り、詳しくはかみそり本体の上部に、外刃と該外刃の内面に摺接して往復動可能な内刃とを有する複数の刃ユニットが並設された刃ヘッド部を備えた電気かみそりに関する。
【０００２】
【従来の技術】
往復式の電気かみそりは、駆動源（モータ）、駆動機構、電源部、操作スイッチなどを備えたかみそり本体の上部に、フォイル状の外刃と該外刃の内面に摺接して往復動（レシプロ動作）される内刃とが組み合わされた単数又は複数の刃ユニットと、スリット状の外刃（例えばきわぞり刃や粗剃り刃）と該外刃の内面に摺接して往復動（レシプロ動作）される内刃とが組み合わされた刃ユニットとが並設された刃ヘッド部が設けられている。
【０００３】
電気かみそりには様々なタイプが存在するが、一例を挙げれば、刃ヘッド部がかみそり本体に対して回動可能に支持されて、刃ヘッド部を傾斜させることが可能な電気かみそりが用いられている。更には、刃ヘッド部の刃ユニットの高さも調節できる電気かみそりも用いられている。
【０００４】
【発明が解決しようとする課題】
これらの電気かみそりにおいては、多機能であり、髭剃り箇所に応じて刃ヘッド部をかみそり本体に対して傾斜させたり、刃ユニットの高さを変えたりして刃面のバリエーションを変えて使用できる。
しかしながら、別個の操作部により切換えるようになっており、操作箇所が多い。また、操作部がかみそり本体の正面部にある場合には、片手で切換え操作し難いため、髭剃りを中断しながら切換え操作するのが煩わしく、使い勝手が悪いという課題があった。
【０００５】
本発明の目的は、上記従来技術の課題を解決し、１回のつまみ切換え操作で刃ヘッド部に剃り部分に応じた最適な刃面を形成し最適な肌当て角度を調整でき、操作性や使い勝手を向上させた電気かみそりを提供することにある。
【０００６】
【課題を解決するための手段】
上記課題を解決するため、本発明は次の構成を備える。
かみそり本体の上部に、外刃と該外刃の内面に摺接して往復動可能な内刃とを有する複数の刃ユニットが並設された刃ヘッド部を備えた電気かみそりにおいて、前記刃ヘッド部は少なくとも１の刃ユニットを可動刃ユニットとして備え、前記かみそり本体に設けられた動作モードを切換えるモード切換え部の１回のつまみ切換え操作で、前記可動刃ユニットを基準位置より上方向若しくは下方向の所定位置へ移動させると、前記刃ヘッド部の前記かみそり本体に対する傾き角度が変化することを特徴とする。
また、前記モード切換え部は、かみそり本体の一方の側面部に設けられていることを特徴とする。
また、前記モード切換え部のつまみ切換え操作は、ダイヤル回転操作により行なわれることを特徴とする。
また、前記可動刃ユニットとモード切換えダイヤルとが第１のリンク材を介して連繋され、かつ前記刃ヘッド部と前記モード切換えダイヤルとが第２のリンク材を介して連繋されていることを特徴とする。
【０００７】
【発明の実施の形態】
以下、本発明の好適な実施の形態について添付図面と共に詳述する。
図１（ａ）〜（ｃ）は電気かみそりの刃ヘッド部の各種動作モードを示す内視説明図、図２（ａ）（ｂ）は電気かみそりの外観斜視図、図３は電気かみそりの分解斜視図、図４は可動刃ユニットの分解斜視図、図５はきわ剃り刃の分解斜視図、図６は電気かみそりの側面中央部の部分断面図、図７は図６の電気かみそりの矢印Ａ−Ａ断面図、図８は図６の電気かみそりの矢印Ｂ−Ｂ断面図、図９〜図１２は電気かみそりの使用状態を示す説明図である。
【０００８】
先ず、電気かみそりの概略構成について図２（ａ）（ｂ）及び図８を参照して説明する。駆動源や駆動機構を備えたかみそり本体１の上部に、外刃と該外刃の内面に摺接して往復動される内刃とが組み合された複数の刃ユニットが並接された刃ヘッド部２が設けられている。この刃ヘッド部２は、複数の刃ユニットを可動ユニットとして備えている。この可動ユニットのうちを少なくとも１の刃ユニットを基準位置より上下に移動させた位置で固定して使用可能に構成されている。
本実施例では、可動ユニットとしてフォイル状の外刃３ａを有する可動刃ユニット３とスリット状の外刃６ａを有するきわ剃り刃ユニット６とを備えている。この可動刃ユニット３又はきわ剃り刃ユニット６を後述するように上下に移動させた位置で固定して使用可能になっている。その他の刃ユニットであるフォイル状の外刃４ａを有するメイン刃ユニット４、スリット状の外刃７ａを有する粗剃り刃ユニット７は、ヘッド部フレーム５に装着されたまま使用される。
【０００９】
きわ剃り刃ユニット６は、メイン刃ユニット４に隣接してヘッド部フレーム５に装着されている。このきわ剃り刃ユニット６は、スリット状の外刃６ａと該外刃６ａの内面に摺接して往復動する内刃６ｂとを備え、主にもみ上げを剃るために用いられる（図８参照）。きわ剃り刃ユニット６は、操作レバー６ｃに連繋して設けられている。この操作レバー６ｃは、ヘッド部フレーム５に上下方向に形成されたガイド孔５ａを挿通してフレーム外へ突出して設けられている。この操作レバー６ｃの外面にはローレットが形成されており、該ローレットに指を掛けてガイド孔５ａに沿ってスライドさせることにより、きわ剃り刃ユニット６の刃面を上方へ突出させて使用することができる。
【００１０】
また、粗剃り刃ユニット７は、メイン刃ユニット４と可動刃ユニット３との間に設けられ、ヘッド部フレーム５に装着されている。この粗剃り刃ユニット７は、スリット状の外刃７ａと該外刃７ａの内面に摺接して往復動する内刃７ｂとを備え、主に長い髭やくせ髭を粗剃りするものである（図８参照）。
この粗剃り刃ユニット７により粗剃りされた後、可動刃ユニット３又はメイン刃ユニット４により仕上げ剃りが行なわれる。可動刃ユニット３とメイン刃ユニット４は、フォイル状の外刃３ａ、４ａと該外刃３ａ、４ａの内面に摺接して往復動する内刃３ｂ、４ｂとを各々備えている（図８参照）。上記メイン刃ユニット４の外刃４ａ、粗剃り刃ユニット７及び可動刃ユニット３の外刃３ａは外刃枠８に支持されている（図２（ａ）（ｂ）参照）。この外刃枠８は、刃ヘッド部２に設けられた外刃枠着脱キー９により、刃ヘッド部２より分離可能に構成されている（図３参照）。
【００１１】
また、かみそり本体１の正面にはメインスイッチ１０が設けられており、可動刃ユニット３やメイン刃ユニット４に設けられた内刃をレシプロ駆動させる。また、かみそり本体１の一側面には、モード切換え部の一例としてモード切換えダイヤル１１が設けられている。このモード切換えダイヤル１１を所定方向に回転させると、後述するように可動刃ユニット３を基準位置より上方向若しくは下方向の所定位置へ移動させると共に、刃ヘッド部２のかみそり本体１に対する傾き角度が変化するようになっている。
【００１２】
次に、電気かみそりの各部の構成について、図３〜図８を参照して説明する。図３において、かみそり本体１の上面部１ａには、第１のモータジョイント部１２、第１の偏芯ピン１３、第２のモータジョイント部１４及び第２の偏芯ピン１５が軸方向に連繋して設けられている。第２のモータジョイント部１４は、第１の偏芯ピン１３を介して連繋する偏芯ジョイント部である。第１、第２の偏芯ピン１３、１５は第２のモータジョイント部１４の上下で位相がほぼ反転した位置に立設されている。
【００１３】
図８において、メイン刃ユニット４の内刃４ｂは、第１のオシレータ１６のオシレータ軸１７に連繋している。第１のオシレータ１６は、オシレータ連結部１６ａが第１の偏芯ピン１３に溝嵌合している。オシレータ軸１７には刃連結体１８が嵌め込まれている。この刃連結体１８はきわ剃り刃ユニット６及び粗剃り刃ユニット７に連繋している。可動刃ユニット３の内刃３ｂは可動オシレータ１９の可動オシレータ軸１９ａに連繋している。また、可動オシレータ１９は第２のオシレータ２０に対して上下に移動可能に連繋している。可動オシレータ１９は、可動刃ユニット３が上下に移動しても第２のオシレータ２０に干渉しないように上下方向にフリーで水平方向にのみ移動が規制されて嵌め込まれている。第２のオシレータ２０は、オシレータ連結部２０ａが第２の偏芯ピン１５に溝嵌合している。
【００１４】
このように、第２のモータジョイント部１４の上下で位相がほぼ反転した位置に第１の偏芯ピン１３と第２の偏芯ピン１５とが立設され、第１の偏芯ピン１３に第１のオシレータ１６を連繋させ、第２の偏芯ピン１５に第２のオシレータ２０を連繋させている。これにより、モータの回転駆動を第１のオシレータ１６と第２のオシレータ２０とで互いに逆向きの往復動に変換して各刃ユニットの内刃へ伝達するようになっている。
駆動モータ４７を起動すると、第１のオシレータ１６を通じてメイン刃ユニット４、きわ剃り刃ユニット６及び粗剃り刃ユニット７に駆動伝達され、第２のオシレータ２０及び可動オシレータ１９を通じて可動刃ユニット３へ互いに逆向きに駆動伝達される。このとき、上記メイン刃ユニット４、きわ剃り刃ユニット６及び粗剃り刃ユニット７の各内刃４ｂ、６ｂ、７ｂと可動刃ユニット３の内刃３ｂとは逆向きに往復駆動される。
【００１５】
また、図３において、かみそり本体１の上面部１ａには、起立支持片２３が左右両側に起立形成されている。ネックカバー２１は、止め具２２により上面部１ａにねじ止めされる。起立支持片２３はネックカバー２１の上方に突設され、上端側に設けられた嵌合孔にヘッド支点軸２４が嵌め込まれている。このヘッド支点軸２４にヘッドベース部２５が嵌め込まれて刃ヘッド部２が回動可能に支持されている。
【００１６】
また、図６及び図７において、かみそり本体１の側面部１ｂには、連結体支点軸２６が嵌め込まれている。この連結体支点軸２６には、アーム状のヘッド連結体２７が回転可能に支持されている。このヘッド連結体２７の両端には係合ピン２７ａ、２７ｂが各々突設されている。また、刃ヘッド部２において、ヘッドベース部２５の底部には補強板２８が設けられている。図７において、補強板２８の上下方向に折り曲げられた垂下片には凹溝２９が形成されている。ヘッド連結体２７の一端側の係合ピン２７ａは補強板２８の凹溝２９に嵌め込まれている。
【００１７】
また、かみそり本体１の側面部１ｂには、モード切換えダイヤル１１が回動可能に組み付けられる。以下、モード切換えダイヤル１１の組み付け構成について図３を参照して説明する。側面部１ｂには、モードキークリック体３０が側面カバー３１に連繋して一体に取り付けられる。側面カバー３１は、ヘッド連結体２７の外側を覆って装着される。この側面カバー３１には嵌込み孔３１ａが形成されている。また、側面部１ｂには、ダイヤルシャフト３２が嵌込み孔３１ａの中心部位置に嵌め込まれる。この嵌込み孔３１ａにはモードキー３３及びモードカバー３４が一体に嵌め込まれ、モードキー３３がダイヤルシャフト３２を中心に回転可能に組み付けられる。
【００１８】
図６及び図７において、モードキー３３のダイヤルシャフト３２への嵌合孔の周囲にはリブ３５が設けられている。このリブ３５に囲まれた係合溝３６が径方向に設けられている。上記係合溝３６にヘッド連結体２７の他端側の係合ピン２７ｂが嵌め込まれている。
また、リンクアーム４０は、一端が可動刃ユニット３の底部に設けられたオシレータホルダー３７のアーム軸３８に連繋しており、他端がモードキー３３に設けられたボス部３９に連繋している。
【００１９】
ここで、可動刃ユニット３の組み付け構成について図４を参照して説明する。リンクアーム４０は保持軸４１と一体にＬ字状に形成されている。この保持軸４１がオシレータホルダー３７に水平方向に組み込まれ、アーム軸３８が保持軸４１と同軸状に嵌め込まれることにより、リンクアーム４０が垂下して支持される。また、オシレータホルダー３７には可動オシレータ１９が一体に組み込まれる。この可動オシレータ１９の上部に設けられた連結部１９ｂには可動オシレータ軸１９ａが嵌め込まれる。可動オシレータ軸１９ａには可動内刃フロート具４２が嵌め込まれ、該可動内刃フロート具４２に可動内刃３ｂが保持される。
したがって、モード切換えダイヤル１１を回すことにより、リンクアーム４０を通じてオシレータホルダー３７を押上げたり引き下げたりして、可動刃ユニット３を上下に移動させることができる。
【００２０】
また、モード切換えダイヤル１１の位置は、モードキークリック体３０とモードキー３３のクリック部３３ａとの凹凸嵌合によりダイヤル位置（可動刃ユニット３の位置）を固定して使用できるようになっている。ちなみに、本実施例では、後述するように、ノーマルモード（頬用）、鼻下モード（鼻下用）、顎下モード（顎下用）と３位置でモード切換えが行えるようになっている。これにより、可動刃ユニット３がノーマル位置、上位置、下位置へそれぞれ移動して固定されるようになっている。
【００２１】
次にきわ剃り刃ユニット６の組み付け構成について図５を参照して説明する。きわ剃り刃ユニット６は主にもみ上げを剃る場合に用いられる。きわ剃り刃ユニット６は、きわ剃り刃ベース部４３に一体に支持されてヘッド部フレーム５の正面側の取付部５ｂに組み込まれる。この取付部５ｂにはきわ剃りクリック体４４が取付けられ、きわ剃りレバー４５、更にはヘッドプレート５ｄにより外側から押さえ込まれるように組み付けられる。
【００２２】
きわ剃りレバー４５は、その一端が取付部５ｂに設けられたレバー軸４６に嵌め込まれ、他端側は操作レバー６ｃに連繋して組み込まれる。きわ剃りレバー４５にはボス部４５ａ及びクリック部４５ｂが形成されている。また、取付部５ｂには、ボス部４５ａが嵌め込まれる円弧状のガイド孔５ｃが形成されている。ボス部４５ａはガイド孔５ｃを挿通してきわ剃り刃ベース部４３に連繋するようになっている。操作レバー６ｃをガイド孔５ｃに沿って上下に移動させると、きわ剃りレバー４５がレバー軸４６を中心に回転して、ボス部４５ａがガイド孔５ｃに沿って回転する。このとき、ボス部４５ａに連繋するきわ剃り刃ベース部４３が上下に移動し、同時にきわ剃り刃ユニット６も移動するようになっている。そして、クリック部４５ｂがきわ剃りクリック体４４に凹凸嵌合することで、きわ剃り刃ユニット６が上位置若しくは下位置で固定される。
【００２３】
次に、可動刃ユニット３を基準位置より上下方向の所定位置へ移動させると、刃ヘッド部２のかみそり本体１に対する傾き角度が変化する機構について図１（ａ）〜（ｃ）を参照して説明する。尚、刃ヘッド部２の傾き角度は、上下方向を０度として説明する。図１（ａ）は、可動刃ユニット３が基準位置にある状態を示す（ノーマルモード）。このとき、リンクアーム４０は上下方向に平行姿勢でモードキー３３とオシレータホルダー３７との間を連結している。また、刃ヘッド部２の傾き角度は０度で保持されている。
【００２４】
図１（ｂ）はモード切換えダイヤル１１を反時計回り方向へ回転させて、モードキー３３を同方向に回転させてクリック部３３ａがモードキークリック体３０に凹凸嵌合して位置決めされた状態を示す（鼻下モード）。このとき、可動刃ユニット３はリンクアーム４０により押し上げられて刃ヘッド部２の他の刃ユニットより突出した高さ位置で保持されている。また、モードキー３３の反時計回り方向への回転によりリブ３５も同方向へ回転し、係合溝３６に連繋するヘッド連結体２７の係合ピン２７ｂが係合溝３６に沿って径方向外側へ移動する。このとき、ヘッド連結体２７は連結体支点軸２６を中心に時計回り方向へ僅かに回転する。これにより、ヘッド連結体２７の係合ピン２７ａ連繋する補強板２８（図７参照）を反時計回り方向に振らせて、刃ヘッド部２をヘッド支点軸２４を中心に反時計回り方向へ回転させた状態で保持して使用することができる。このときの刃ヘッド部２の傾き角度はおよそ８．１度であり、かみそり本体１に対して若干左に傾いて保持されている。
【００２５】
図１（ｃ）はモード切換えダイヤル１１を時計回り方向へ回転させて、モードキー３３を同方向に回転させてクリック部３３ａがモードキークリック体３０に凹凸嵌合して位置決めされた状態を示す（顎下モード）。このとき、可動刃ユニット３はリンクアーム４０により引き下げられて刃ヘッド部２の他の刃ユニットより退避した高さ位置で保持されている。また、モードキー３３の時計回り方向への回転によりリブ３５も同方向へ回転し、係合溝３６に連繋するヘッド連結体２７の係合ピン２７ｂが係合溝３６に沿って径方向外側へ僅かに移動する。このとき、ヘッド連結体２７は連結体支点軸２６を中心に反時計回り方向へ僅かに回転する。これにより、ヘッド連結体２７の係合ピン２７ａが連繋する補強板２８（図７参照）を時計回り方向に振らせて、刃ヘッド部２をヘッド支点軸２４を中心に時計回り方向へ回転させた状態で保持して使用することができる。このときの刃ヘッド部２の傾き角度はおよそ５度であり、かみそり本体１に対して僅かに右に傾いて保持されている。
【００２６】
次に、電気かみそりのモード切換えによる使用状態について図９〜図１１を参照して説明する。図９は、鼻下モードで使用する場合を示す。このとき、可動刃ユニット３を、他の刃ユニットより突出させた高さ位置とし、かつ刃ヘッド部２を正面側（メインスイッチ１０側）へ傾かせて使用できる。鼻下は剃り面積が限られているうえに剃り面が湾曲しているため、可動刃ユニット３の外刃３ａとの接触面積を十分確保し、刃ヘッド部２を手前に傾けることで操作者が持ち易く操作しやすい姿勢を保持することができる。
【００２７】
図１０は、顎下モードで使用する場合を示す。このとき、可動刃ユニット３を、他の刃ユニットより退避した高さ位置で使用することで、くせ髭が多い顎下でメイン刃ユニット４の両側に設けられたきわ剃り刃ユニット６若しくは粗剃り刃ユニット７で往復動作させることでくせ髭を剃りながらメイン刃ユニット４にて通常の髭を剃ることができるので、髭の性質に応じた仕上がりの良い剃り動作を行うことができる。また、刃ヘッド部２を正面側（メインスイッチ１０側）と反対側へ僅かに傾かせて使用できるので、顎下の傾斜に各外刃を合わせて使用できるので、髭と刃面との接触面積を十分確保し、しかも使い勝手を向上させることができる。
【００２８】
図１１は、ノーマルモードで使用する場合を示す。このとき、刃ヘッド部２は、可動刃ユニット３を基準位置に保持してかみそり本体１に対して傾斜させることなく使用する。この場合、比較的髭剃り面積が広い頬を可動刃ユニット３、メイン刃ユニット４、きわ剃り刃ユニット６及び粗剃り刃ユニット７の全ての刃面を使用して効率的に髭剃りを行うことができる。また、往復動作させることでくせ髭を剃りながらメイン刃ユニット４及び可動刃ユニット３にて仕上げに髭を剃ることができるので、剃り効率及び仕上がりの良い剃り動作を行うことができる。
【００２９】
図１２は、きわ剃りモードで使用する場合を示す。尚、モード切換えダイヤル１１はノーマルモード位置で、きわ剃り刃ユニット６のみを操作レバー６ｃを操作して上位置で固定して使用することができる。これにより、主にもみ上げを剃る場合に、肌当て角度を任意に調整することができるので、仕上がりの良い剃り動作を行うことができる。
【００３０】
以上、本発明の好適な実施例について述べてきたが、本発明は上述した電気かみそりに限定されるものではなく、可動刃ユニット３は単数ではなく複数設け、メイン刃ユニット４との組み合わせを増やして、刃面の高さのバリエーションを更に多様に変化させて使用できるようにしても良い。また、可動刃ユニット３は基準位置、上位置及び下位置の３ポジションで固定して使用する場合に限らず、上下方向への移動位置を更に多位置へ切換えて使用できるようにしても良い。また、フォイル状の外刃を有する刃ユニットの内刃は、スプリングなどが弾装された軸受けによりフローティング支持されて外刃の内面に当接するようになっていても良い。
【００３１】
また、フォイル状の外刃を有する可動刃ユニット３及びメイン刃ユニット４と、スリット状の外刃を有するきわ剃り刃ユニット６及び粗剃り刃ユニット７の配列は任意であり、これらを交互に配置したり、きわ剃り刃ユニット６及び粗剃り刃ユニット７を可動刃ユニット３やメイン刃ユニット４の両側に配置したりしても良い。
また、モード切換え部は、ダイヤル式に限らずレバー式など他の方式により刃面の高さ位置を切換えるようにしても良い。以上のように、法の精神を逸脱しない範囲で多くの改変を施し得るのはもちろんである。
【００３２】
【発明の効果】
本発明に係る電気かみそりを用いれば、刃ヘッド部は少なくとも１の刃ユニットを可動刃ユニットとして備え、かみそり本体に設けられた動作モードを切換えるモード切換え部の１回のつまみ切換え操作で、可動刃ユニットを基準位置より上方向若しくは下方向の所定位置へ移動させると共に、刃ヘッド部のかみそり本体に対する傾き角度を変更して使用できる。
従って、モード切換え部の１回のつまみ切換え操作で刃ヘッド部に剃り部分に応じた最適な刃面を形成すると共に刃ヘッド部を最適な肌当て角度に調整でき、操作性や使い勝手を向上することができる。
【図面の簡単な説明】
【図１】電気かみそりの刃ヘッド部の各種動作モードを示す内視説明図である。
【図２】電気かみそりの外観斜視図である。
【図３】電気かみそりの分解斜視図である。
【図４】可動刃ユニットの分解斜視図である。
【図５】きわ剃り刃の分解斜視図である。
【図６】電気かみそりの側面中央部の部分断面図である。
【図７】図６の電気かみそりの矢印Ａ−Ａ断面図である。
【図８】図６の電気かみそりの矢印Ｂ−Ｂ断面図である。
【図９】電気かみそりの鼻下モードの使用状態を示す説明図である。
【図１０】電気かみそりの顎下モードの使用状態を示す説明図である。
【図１１】電気かみそりのノーマルモードの使用状態を示す説明図である。
【図１２】電気かみそりのきわ剃りモードの使用状態を示す説明図である。
【符号の説明】
１  かみそり本体
２  刃ヘッド部
３  可動刃ユニット
３ａ、４ａ、６ａ、７ａ  外刃
３ｂ、４ｂ、６ｂ、７ｂ  内刃
４  メイン刃ユニット
５  ヘッド部フレーム
５ａ、５ｃ  ガイド孔
５ｂ  取付部
５ｄ  ヘッドプレート
６  きわ剃り刃ユニット
６ｃ  操作レバー
７  粗剃り刃ユニット
８  外刃枠
９  外刃枠着脱キー
１０  メインスイッチ
１１  モード切換えダイヤル
１２  第１のモータジョイント部
１３  第１の偏芯ピン
１４  第２のモータジョイント部
１５  第２の偏芯ピン
１６  第１のオシレータ
１７  オシレータ軸
１８  刃連結体
１９  可動オシレータ
２０  第２のオシレータ
２１  ネックカバー
２２  止め具
２３  起立支持片
２４  ヘッド支点軸
２５  ヘッドベース部
２６  連結体支点軸
２７  ヘッド連結体
２８  補強板
２９  凹溝
３０  モードキークリック体
３１  側面カバー
３２  ダイヤルシャフト
３３  モードキー
３４  モードカバー
３５  リブ
３６  係合溝
３７  オシレータホルダー
３８  アーム軸
３９  ボス部
４０  リンクアーム
４１  保持軸
４２  可動内刃フロート具
４３  きわ剃り刃ベース部
４４  きわ剃りクリック体
４５  きわ剃りレバー
４６  レバー軸
４７  駆動モータ
【図１】
0003574440.tif 000002
【図２】
0003574440.tif 000003
【図３】
0003574440.tif 000004
【図４】
0003574440.tif 000005
【図５】
0003574440.tif 000006
【図６】
0003574440.tif 000007
【図７】
0003574440.tif 000008
【図８】
0003574440.tif 000009
【図９】
0003574440.tif 000010
【図１０】
0003574440.tif 000011
【図１１】
0003574440.tif 000012
【図１２】
0003574440.tif 000013